【手続補正書】
【提出日】平成19年6月5日(2007.6.5)
【手続補正１】
【補正対象書類名】明細書
【補正対象項目名】発明の名称
【補正方法】変更
【補正の内容】
【発明の名称】ＣＡＤデータを利用した建築部材の搬入システム
【手続補正２】
【補正対象書類名】明細書
【補正対象項目名】特許請求の範囲
【補正方法】変更
【補正の内容】
【特許請求の範囲】
【請求項１】  ＣＡＤシステムが作成した設計から発注、加工、納品、施工の各工程から成るＣＡＤデータを利用した建築部材の搬入システムにおいて、
前記ＣＡＤデータから１建築物件で必要な建築部材を示す建築部材データを、該建築物件を構成する部屋毎に拾い出すステップＡ１と、前記拾い出しされた建築部材データに連番を付与し、該連番が記録されたバーコード付きのラベルを、発注に応じて製造される前記建築部材に貼り付けるために印刷するステップＡ２と、を有するサーバと、
前記建築部材に貼られた前記バーコード付きのラベルから読み取った前記連番に対応する前記建築部材データを前記サーバからダウンロードし、前記建築部材の仕様又は搬入先を確認させるために表示する端末装置と、
を有することを特徴とするＣＡＤデータを利用した建築部材の搬入システム。
【請求項２】  前記端末装置が、前記サーバから前記建築部材データをダウンロードして記憶する手段と、該記憶したデータから前記連番をキーに検索することによって得た前記建築部材データを、前記建築部材の仕様又は搬入先を確認させるために表示する手段と、を有することを特徴とする請求項１に記載のＣＡＤデータを利用した建築部材の搬入システム。
【請求項３】  前記サーバが、前記ＣＡＤデータから前記部屋毎に拾い出した建築部材データを有するデータベースを有し、
前記端末装置が、施工現場で受け入れ確認した前記建築部材の前記バーコード付きのラベルを読み取ることによって受け入れ部材情報を収集する手段と、受け入れ登録を行なった情報を前記サーバのデータベースに反映する手段と、を有することを特徴とする請求項１又は２に記載のＣＡＤデータを利用した建築部材の搬入システム。
【手続補正３】
【補正対象書類名】明細書
【補正対象項目名】０００１
【補正方法】変更
【補正の内容】
【０００１】
【発明の属する技術分野】
本発明は、例えば、マンション等住宅の施工に用いて好適な、ＣＡＤデータを利用した建築部材の搬入システムに関する。
【手続補正４】
【補正対象書類名】明細書
【補正対象項目名】０００４
【補正方法】変更
【補正の内容】
【０００４】
本発明は上記事情に鑑みてなされたものであり、部屋別、タイプ別にＣＡＤデータから必要な情報を拾い出し、製造工程に渡すことによって製造段階におけるミスをなくし、また、これをベースに出来た部材にラベルを貼付することによってロット単位で工場において種分けし、施工現場で的確に搬入することのできる、ＣＡＤデータを利用した建築部材の搬入システムを提供することを目的とする。
【手続補正５】
【補正対象書類名】明細書
【補正対象項目名】０００５
【補正方法】変更
【補正の内容】
【０００５】
【課題を解決するための手段】
請求項１に記載の発明は、ＣＡＤシステムが作成した設計から発注、加工、納品、施工の各工程から成るＣＡＤデータを利用した建築部材の搬入システムにおいて、前記ＣＡＤデータから１建築物件で必要な建築部材を示す建築部材データを、該建築物件を構成する部屋毎に拾い出すステップＡ１と、前記拾い出しされた建築部材データに連番を付与し、該連番が記録されたバーコード付きのラベルを、発注に応じて製造される前記建築部材に貼り付けるために印刷するステップＡ２と、を有するサーバと、前記建築部材に貼られた前記バーコード付きのラベルから読み取った前記連番に対応する前記建築部材データを前記サーバからダウンロードし、前記建築部材の仕様又は搬入先を確認させるために表示する端末装置と、を有することを特徴とする。
上記構成により、部屋別、タイプ別にＣＡＤデータから必要な情報を拾い出し、製造工程に渡すことによって製造段階におけるミスをなくし、また、これをベースに出来た部材にラベルを貼付することによってロット単位で工場において種分けし、施工現場で的確に搬入することができるＣＡＤデータを利用した建築部材の搬入システムを提供することができる。
【手続補正６】
【補正対象書類名】明細書
【補正対象項目名】０００６
【補正方法】変更
【補正の内容】
【０００６】
請求項２に記載の発明は、請求項１に記載のＣＡＤデータを利用した建築部材の搬入システムにおいて、前記端末装置が、前記サーバから前記建築部材データをダウンロードして記憶する手段と、該記憶したデータから前記連番をキーに検索することによって得た前記建築部材データを、前記建築部材の仕様又は搬入先を確認させるために表示する手段と、を有することを特徴とする。
このことにより、ラベルに情報として入りきらない建築部材の用途、あるいは仕様等の提供を行なうことができる。
【手続補正７】
【補正対象書類名】明細書
【補正対象項目名】０００７
【補正方法】変更
【補正の内容】
【０００７】
請求項３に記載の発明は、請求項１又は２に記載のＣＡＤデータを利用した建築部材の搬入システムにおいて、前記サーバが、前記ＣＡＤデータから前記部屋毎に拾い出した建築部材データを有するデータベースを有し、前記端末装置が、施工現場で受け入れ確認した前記建築部材の前記バーコード付きのラベルを読み取ることによって受け入れ部材情報を収集する手段と、受け入れ登録を行なった情報を前記サーバのデータベースに反映する手段と、を有することを特徴とする。
このことにより、ラベルのバーコードを読むだけで納品確認を行なうことができ、サーバが持つデータベースとの同期化も行なうことができる。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】変更
【補正の内容】
【００１０】
【発明の実施の形態】
図１は本発明におけるＣＡＤデータを利用した建築部材の搬入システムのシステム構成を示すブロック図である。
図において、１はＣＡＤ（Computer  Aided  Design）システムであり、内蔵のソフトウェアによって設計データを生成し、この設計データに基づいて設計図面が作成される。ＣＡＤソフトウェアによって作成された設計図面には、例えば内装を構成する建築部材の部材名が記載されている。これら建築部材の発注、加工、納品、施工の各工程における進捗状況を管理するために、各建築部材とその建築部材の数量等に関し、ＣＡＤデータベース１１が構築される。
【手続補正１１】
【補正対象書類名】明細書
【補正対象項目名】００１１
【補正方法】変更
【補正の内容】
【００１１】
２はサーバであり、本発明の制御中枢となる部分であり、ＣＡＤシステムとはＷＡＮ回線（Wide  Area  Network）３を介して接続される。サーバ２はセンタデータベースを格納する記憶装置２１を有し、ここにはＣＡＤシステムのデータベースから必要データを洗い出し、ここに新たに展開されたデータが格納される。データ構造については後述する。２２はラベルプリンタであり、サーバ２の制御により記憶装置２１のデータベースに展開された情報のうち、必要な情報がバーコードと共に印字される。詳細は後述する。
なお、ここでは、ＣＡＤシステム１とサーバ２はＷＡＮ回線３経由で接続されるとしたが、ＬＡＮ（Local  Area  Network）回線経由であっても同等の効果が得られる。
【手続補正１２】
【補正対象書類名】明細書
【補正対象項目名】００１４
【補正方法】変更
【補正の内容】
【００１４】
図３は本発明におけるＣＡＤデータを利用した建築部材の搬入システムに関する基本概念を示す図である。
すなわち、まず、仕様書、キープラン図、三面図、部品図、加工図からなる図面をＣＡＤシステム１で作図し、ここで作図された図面からデータベース１１が作成され、サーバ２がこのデータベース１１から部屋情報、タイプ情報、部材情報の拾い出しを行なう（ステップＡ１）。ここで、部屋情報とは、マンション名、部屋番号を示し、タイプ情報とは内装、取付け家具毎にカテゴリ分けされた情報、部材情報とは、例えば、取付け家具が下駄箱の場合、天板、側番、背板等の部品情報を示す。ここで、部屋別の部材一覧表を画面表示して拾い出し結果について補正を行なうこともできる。
【手続補正１３】
【補正対象書類名】明細書
【補正対象項目名】００１５
【補正方法】変更
【補正の内容】
【００１５】
そして、サーバ２が発注業者に対して部屋別部材一覧表等明細と図面を送って加工方法を明確に指示し、ラベルを発行して発注指示をかける（ステップＡ２）。発注先では、工場で加工し、加工した部材にラベルを貼付して出荷する（ステップＡ３）。施工現場では、ＨＨＴ４を使用して既にダウンロードされている内容と読み取ったラベルとの照合を行なうことにより受け入れチェックを行い、ラベルが示す搬入先へ搬入して施工を行なう（ステップＡ４）。
施工を行なうにあたって施工業者は必要に応じてラベルを参照することで取付け方法当に関する仕様を得ることができる。最後にデペロッパに対する引渡しが行なわれる（ステップＡ５）。
【手続補正１４】
【補正対象書類名】明細書
【補正対象項目名】００２８
【補正方法】変更
【補正の内容】
【００２８】
以上説明のように本発明は、部屋別、タイプ別にＣＡＤデータから必要な情報を拾い出し、製造工程に渡すことによって製造段階におけるミスをなくし、また、これをベースに出来た建築部材にラベルを貼付することによってロット単位で工場において種分けし、建築部材を施工現場で的確に搬入することのできる、ＣＡＤデータを利用した建築部材の搬入システムを提供できる。
【手続補正１５】
【補正対象書類名】明細書
【補正対象項目名】００３２
【補正方法】削除
【補正の内容】
【手続補正１６】
【補正対象書類名】明細書
【補正対象項目名】００３３
【補正方法】削除
【補正の内容】
【手続補正１７】
【補正対象書類名】明細書
【補正対象項目名】図面の簡単な説明
【補正方法】変更
【補正の内容】
【図面の簡単な説明】
【図１】
本発明におけるＣＡＤデータを利用した建築部材の搬入システムのシステム構成を示すブロック図である。
【図２】
図１に示すデータベースに構築される物件毎の部材情報のフォーマットを示した図である。
【図３】
本発明におけるＣＡＤデータを利用した建築部材の搬入システムに関する基本概念を示す図である。
【図４】
本発明が適用された場合のＣＡＤデータを利用した建築部材の搬入システムを用いた業務の流れの概略を示す図である。
【図５】
図４の設計業務における詳細な業務フローを示した図である。
【図６】
図４の発注業務における部材払い出しに関して詳細な業務フローを示した図である。
【図７】
図４の発注業務における、払い出し結果の確認に関して詳細な業務フローを示した図である。
【図８】
図４の発注業務における、発注部材の選択、ラベル印刷に関して詳細な業務フローを示した図である。
【図９】
図４の加工、納品業務における部材搬入に関して詳細な業務フローを示した図である。
【図１０】
図４の施工業務における受け入れに関して詳細な業務フローを示した図である。
【図１１】
図４の施工業務における家具の検査状況管理に関して詳細な業務フローを示した図である。
【図１２】
運用についての流れを、顧客、営業担当者、設計担当者、施工管理担当者（発注担当者、現場管理者）、工場のそれぞれに区分して示した流れ図である。
【図１３】
運用についての流れを、顧客、営業担当者、設計担当者、施工管理担当者（発注担当者、現場管理者）、工場のそれぞれに区分して示した流れ図である。
【符号の説明】
１    ＣＡＤシステム
２    サーバ
３    ＷＡＮ回線
４    端末装置（ハンディターミナル）
５    公衆回線
１１  ＣＡＤデータベース（第１ＤＢ）
２１  センタデータベース（第２ＤＢ）
２２  ラベルプリンタ